(57)【要約】【課題】パッケージが客の興味を引くとともに、パッケージの中身に興味をそそる雑貨収納用パッケージを提供する。【解決手段】支持台紙１とその対向する両辺のそれぞれに上カバー紙３と下カバー紙４が対向して連接され、支持台紙１には小物の雑貨を収納する収納袋６が係止して支持され、上カバー紙３は支持台紙１に折り曲げ線２により折り曲げ可能に連設され、下カバー紙４には、折り曲げ線２で折り曲げることにより底部９を形成する折り曲げ部７を介して支持台紙１に折り曲げ可能に連接されるとともに、下カバー紙４の端部には支持台紙１との間の間隔を保持する折り曲げ部８が形成され、さらに透明の収納袋６の中味が見えるように開口部１０が形成されている雑貨収納用パッケージ。【選択図】　　図１
0003099130.tif 000002
【実用新案登録請求の範囲】
【請求項１】
支持台紙とその対向する両辺のそれぞれに上カバー紙と下カバー紙が対向して連接され、
支持台紙には小物の雑貨を収納する透明の収納袋が係止されて支持され、
上カバー紙は支持台紙に折り曲げ線により折り曲げ可能に連設され、
下カバー紙には、折り曲げ線で折り曲げることにより底部を形成する折り曲げ部を介して支持台紙に折り曲げ可能に連接されるとともに、下カバー紙の端部には支持台紙との間の間隔を保持する折り曲げ部が形成され、さらに透明の収納袋の中味が見えるように開口部が形成されていることを特徴とする雑貨収納用パッケージ。
【請求項２】
支持台紙と上カバー紙の折り曲げ部に、紐を通すための一対の孔が間隔をおいて設けられ、上カバー紙の中央部あるいはその下方に紐を通すための孔が設けられるとともに、下カバー紙に下カバー紙と上カバー紙を折り曲げた際に、上カバー紙の孔と対向する位置に孔が設けられ、上カバー紙の孔を通した紐にカードを取り付けたことを特徴とする請求項１記載の雑貨収納用パッケージ。
【請求項３】
折り曲げ後に側面を遮る側面紙を支持台紙の両側に折り曲げ可能に設けたことを特徴とする請求項１又は２記載の雑貨収納用パッケージ。
【考案の詳細な説明】
【０００１】
【考案の属する技術分野】
本考案は、キャンディー、茶葉、イヤリング、ネックレス等の装身具等の雑貨を収納する雑貨収納用パッケージに関する。
【０００２】
【従来の技術】
従来、ティーパック等のお茶類はパックに詰め、これらを箱に並べて収納し、また、キャンディーは個々に紙に包み、通常、これを中身が見えるようにして袋に収納し、これらの箱や袋を陳列台に陳列している。また、イヤリング、ネックレス等は専用のケースに収納し、ケースの蓋を開けた状態で陳列台に並べて陳列している。
【０００３】
【考案が解決しようとする課題】
これらの小物雑貨を収納した箱や袋は、ありふれた形状のものであって、さほど目を引くものではないので、これらの購入を目的とした客以外の客には特に手にとって見たいというほどの興味を引くものではなかった。
【０００４】
また、これらの小物雑貨をプレゼントでもらったとしても、特にパッケージは包む機能でしかなく、興味をそそる形状ではなかった。
【０００５】
そこで、本考案は、パッケージが客の興味を引くとともに、パッケージの中身に興味をそそる雑貨収納用パッケージを提供するものである。
【０００６】
【課題を解決するための手段】
本考案の雑貨収納用パッケージは、支持台紙とその対向する両辺のそれぞれに上カバー紙と下カバー紙が対向して連接され、支持台紙には小物の雑貨を収納する収納袋が係止されて支持され、上カバー紙は支持台紙に折り曲げ線により折り曲げ可能に連設され、下カバー紙には、折り曲げ線で折り曲げることにより底部を形成する折り曲げ部を介して支持台紙に折り曲げ可能に連接されるとともに、下カバー紙の端部には支持台紙との間の間隔を保持する折り曲げ部が形成され、さらに透明の収納袋の中味が見えるように開口部が形成されていることを特徴とする。また、前記構成において、支持台紙と上カバー紙の折り曲げ部に、紐を通すための一対の孔が間隔をおいて設けられ、上カバー紙の中央部あるいはその下方に紐を通すための孔が設けられるとともに、下カバー紙に下カバー紙と上カバー紙を折り曲げた際に、上カバー紙の孔と対向する位置に孔が設けられ、上カバー紙の孔を通した紐にカードを取り付けてもよい。さらに、折り曲げ後に側面を遮る側面紙を支持台紙の両側に折り曲げ可能に設けてもよい。
【０００７】
【考案の実施の形態】
本考案の雑貨収納用パッケージは、１枚の台紙を折り曲げることによりハンドバック風に形成され、正面の開口部からカバーを明くることにより透明の収納袋内の中味を見ることができるように形成されている。
【０００８】
パッケージの正面から見た全体の形状、下カバーの開口部の形状は、収納する雑貨の種類、使用目的に応じて適宜選択することができる。
【０００９】
【実施例１】
実施例１
図１（ａ）は本考案による茶葉のパッケージの展開図、（ｂ）は折り曲げ途中の状態を示す斜視図、（ｃ）は折り曲げ完了後のパッケージの斜視図である。
【００１０】
図１において、本考案のパッケージは１枚の台紙を折り曲げることにより形成される。台紙は収納袋６を支持する支持台紙１とその対向する辺にそれぞれ折り曲げ線２を介して折り曲げ可能に上カバー紙３、下カバー紙４が連接されている。台紙は紙、あるいは合成樹脂シート等を使用し、折り曲げ線２には曲げくせを付けておくと曲げやすくなる。
【００１１】
ハーブ茶などの茶葉５が透明の収納袋６に収納され、透明収納袋６は支持台紙１にステイプラーや接着剤などで係止されて支持される。収納袋６を透明にすることにより、収納されている茶葉５がどのようなものかを見ることができる。
【００１２】
支持台紙１の上辺には上カバー紙３が折り曲げ線２により折り曲げ可能に連設され、下辺には折り曲げ線２で折り曲げることにより形成される山形の折り曲げ部７を介して折り曲げ可能に下カバー紙４が連接されている。下カバー紙４の端部にはＶ字型の折り曲げ部８が形成されている。山形の折り曲げ部７を形成することにより、下カバー紙４を折り曲げた際に支持台紙１との間に底部９を形成し、Ｖ字型の折り曲げ部８を形成することにより、下カバー紙４を折り曲げた際に支持台紙１との間隔を保持することができる。
【００１３】
下カバー紙４には、透明の収納袋６の中味が見えるように、開口部１０を形成する。開口部１０の形状は特に限定されるものではないが、本実施例は、透明の収納袋６に収納した中味が茶葉５であることからこれに関連するカップの形状の開口部１０を形成している。
【００１４】
支持台紙１と上カバー紙３の折り曲げ部２には、紐１１を通すための一対の孔１２，１２が間隔をおいて設けられる。さらに、上カバー紙３の中央部あるいはその下方に紐１１を通すための一個の孔１３が設けられるとともに、下カバー紙４に下カバー紙４と上カバー紙３を折り曲げた際に、上カバー紙３の孔１３と対向する位置に孔１４が設けられている。紐１１の一端と他端をそれぞれ一対の孔１２，１２に通した後、紐１１の一端と他端をまとめて下カバー紙４の裏から孔１４に通して表に出し、さらに上カバー紙３の裏から孔１３を通すことにより表側に紐１１を取り出す。取り出した紐１１には、メッセージなどを載せるカード１５を取り付ける。カードはパッケージの使用目的や収納する中味に合わせた形状とし、本実施例ではハート形のカード１５を取り付けている。
【００１５】
次に本実施例のパッケージの使用方法について説明する。
【００１６】
ハーブ茶５を収納した透明の収納袋６を支持台紙１にステイプラーや接着剤で係止して保持する。次いで、紐１１の一端と他端をそれぞれ支持台紙１と上カバーの折り曲げ部２に形成された一対の孔１２，１２に通し、ループ１６を形成する。ループ１６はパッケージを持ちやすくしたり、陳列のために陳列具のフックに引っ掛けることができるようにするために形成する。さらに紐１１の一端と他端をまとめて下カバー紙４の裏から孔１４に通し、さらに上カバー紙１の孔１３を通して表側に紐１１を取り出す。取り出した紐１１に、ハート形のカード１５を取り付ける。カード１５には、例えば、プレゼントする場合に相手にメッセージを書き込めるようにしておく。
【００１７】
紐１１を通し終えた後、下カバー紙４を支持台紙側に折り曲げ、更に下カバー紙４を被せるように上カバー紙３を折り曲げた後、カード１５を下カバー紙１４の開口部１０に差し込む。パッケージを形成終了後、ループ１６を陳列台のフックに引っ掛けて陳列する。客は、開口部１０を通してパッケージの中にどんなものが入っているか見てみたいという衝動にかられ、パッケージを手にとって中を見るようになる。また、プレゼントされた人も同様にすぐに中を見ることができる。
【００１８】
実施例２
図２は本考案によるパッケージの別実施例の斜視図である。実施例１と同一の構成には同一符号を付してその説明は省略する。
【００１９】
本実施例は、支持台紙１、上カバー紙３、下カバー紙４を組み立て後のパッケージの輪郭がウエディングベルの形状にとなるように形成したもので、さらに誓いの言葉や名前などを表示したカード１５を添え、このパッケージを結婚式の参列者に小さなプレゼントとして配ることにより印象づけることができる。このように、結婚式、誕生日、イベントなど、パーケージの使用目的に関連づけてその形状を適宜変更して使用することができる。
【００２０】
実施例３
図３は本考案の別実施例を示す斜視図である。実施例１と同一構成には同一符号を付してその説明は省略する。
【００２１】
本実施例は、下カバー紙４の開口部１０を楕円形に形成したものである。透明の収納袋６にはキャンディー１７が収納されている。開口部１０は、パーケージの使用目的、収納するものに応じて各種の形状に形成することができる。
【００２２】
実施例４
図４は本考案のさらに別実施例を示す斜視図である。実施例１と同一構成には同一符号を付してその説明は省略する。
【００２３】
本実施例は、パッケージの側面から透明の収納袋６内の装身具、例えばイヤリング１８が見えないようにするため、折り曲げ後に側面紙１９が形成されるように、支持台紙１の両側に側面紙１９を設けたものである。イヤリングのように側面から見るより正面から見た方が見栄えのよいものは、正面から見えるようにし、側面紙１９で目隠しして横から中が見えないようにする。
【００２４】
【考案の効果】
本考案の雑貨収納用パッケージは、中味を見ることができる開口部を設けることによりパッケージの形状が客の興味を引くとともに、開口部からパッケージの中身を容易に見ることができる。
【００２５】
また、本考案の雑貨収納用パッケージをプレゼントとして使用する場合、カードを取り付けることにより、プレゼントやイベントを強く印象づけることができる。
【００２６】
また、１枚の台紙を折り曲げるだけでパッケージを簡単に形成することができる。
【図面の簡単な説明】
【図１】（ａ）は本考案による茶葉のパッケージの展開図、（ｂ）は折り曲げ途中の状態を示す斜視図、（ｃ）は折り曲げ完了後のパッケージの斜視図である。
【図２】本考案によるパッケージの別実施例の斜視図である。
【図３】本考案の別実施例を示す斜視図である。
【図４】本考案のさらに別実施例を示す斜視図である。
【符号の説明】
１：支持台紙　２：折り曲げ線
３：上カバー紙　４：下カバー紙
５：茶葉　６：透明の収納袋
７：山形の折り曲げ部　８：Ｖ字型の折り曲げ部
９：底部　１０：開口部
１１：紐　１２：一対の孔
１３：上カバー紙の孔　１４：下カバー紙の孔
１５：カード　１６：ループ
１７：キャンディー　１８：イヤリング
１９：側面紙
【図１】
0003099130.tif 000003
【図２】
0003099130.tif 000004
【図３】
0003099130.tif 000005
【図４】
0003099130.tif 000006